(57)【要約】【課題】ＴＤＤ（時分割複信）方式を採用する無線通信システムにおいて、ＮＡＣＫ（否定応答）受信からデータ再送完了までの時間を短縮する。【解決手段】基地局１２は、通信チャネルを介して、データを再送する第１再送方式、および、通信チャネルより伝送速度の遅い制御チャネルを介して、第１再送方式より早いタイミングでデータの再送を開始する第２再送方式、という２つの再送方式を採用している。基地局１２は、通信チャネルを介して移動局に送信したデータに対する否定応答に応じて、第２再送方式によるそのデータの再送完了タイミングが、第１再送方式によるそのデータの再送完了タイミングより早いか否かを判定する再送完了タイミング判定部３０と、再送完了タイミング判定部３０による判定の結果に基づいて、第１再送方式および第２再送方式のいずれかを、そのデータを再送する再送方式として選択する再送方式選択部３２と、を含む。【選択図】図６
2011124943.tif 000002
【特許請求の範囲】
【請求項１】
時分割複信方式により、通信チャネルを介して受信装置に送信したデータに対する否定応答に応じて、前記受信装置に前記データを再送する送信装置であって、
前記通信チャネルを介して、前記データを再送する第１再送手段と、
前記通信チャネルより伝送速度の遅い制御チャネルを介して、前記第１再送手段より早いタイミングで前記データの再送を開始する第２再送手段と、
前記データに対する否定応答に応じて、前記第２再送手段による該データの再送完了タイミングが、前記第１再送手段による該データの再送完了タイミングより早いか否かを判定する判定手段と、
前記判定手段による判定の結果に基づいて、前記第１再送手段および前記第２再送手段のいずれかを、前記データを再送する再送方式として選択する再送方式選択手段と、
を含むことを特徴とする送信装置。
【請求項２】
請求項１に記載の送信装置において、
前記第１再送手段は、前記データを再送するための通信チャネルを前記制御チャネルを介して前記受信装置に通知した後に、該通信チャネルを介して前記データの再送を開始する、  
ことを特徴とする送信装置。
【請求項３】
請求項１または２に記載の送信装置において、
前記判定手段は、前記データのサイズと、前記制御チャネルの回線品質と、に基づいて、前記第２再送手段による該データの再送完了タイミングを推定する、
ことを特徴とする送信装置。
【請求項４】
請求項１から３のいずれかに記載の送信装置において、
前記第１再送手段による再送の方式は、ＣＣ（Chase Combining）−ＨＡＲＱ方式である、
ことを特徴とする送信装置。
【請求項５】
請求項１から４のいずれかに記載の送信装置において、
前記第２再送手段による再送の方式は、ＩＲ（Incremental Redundancy）−ＨＡＲＱ方式である、
ことを特徴とする送信装置。
【請求項６】
時分割複信方式により、通信チャネルを介して受信装置に送信したデータに対する否定応答に応じて、前記受信装置に前記データを再送する送信装置のデータ再送方法であって、
前記通信チャネルを介して、前記データを再送する第１再送手段と、前記通信チャネルより伝送速度の遅い制御チャネルを介して、前記第１再送手段より早いタイミングで前記データの再送を開始する第２再送手段と、を含む前記送信装置が、前記データに対する否定応答に応じて、前記第２再送手段による該データの再送完了タイミングが、前記第１再送手段による該データの再送完了タイミングより早いか否かを判定するステップと、
前記ステップでの判定の結果に基づいて、前記第１再送手段および前記第２再送手段のいずれかを、前記データを再送する再送方式として選択するステップと、
を含むことを特徴とするデータ再送方法。
【発明の詳細な説明】
【技術分野】
【０００１】
本発明は、送信装置およびそのデータ再送方法に関する。
【背景技術】
【０００２】
一般に、無線通信システムでは、受信装置から返信されるＮＡＣＫ（Negative Acknowledge：否定応答）に応じて、送信装置がそのＮＡＣＫに対応するデータを受信装置に再送する再送方式が採用されている。
【０００３】
たとえば、ＯＦＤＭＡ（Orthogonal Frequency Division Multiple Access：直交周波数分割多元接続）方式およびＴＤＭＡ／ＴＤＤ（Time Division Multiple Access/Time Division Duplex：時分割多元接続／時分割複信）方式を採用するＸＧＰ（eXtended Global Platform）では、物理層（ＰＨＹレイヤ）の再送方式として、ＣＣ−ＨＡＲＱ（Chase Combining -HARQ）やＩＲ−ＨＡＲＱ（Incremental Redundancy -HARQ）が採用されている（非特許文献１参照）。
【先行技術文献】
【非特許文献】
【０００４】
【非特許文献１】“ARIB STD-T95 Version 1.2「OFDMA/TDMA TDD Broadband Wireless Access System (Next Generation PHS)」”、平成２１年３月１８日、社団法人電波産業会
【発明の概要】
【発明が解決しようとする課題】
【０００５】
しかしながら、送信と受信に同一の周波数を用いるＴＤＤ方式を採用する無線通信システムでは、送信と受信に異なる周波数を用いるＦＤＤ方式に比べて、ＮＡＣＫ受信からデータ再送完了までの時間が長くなりやすい。
【０００６】
たとえば上記ＸＧＰでは、移動局が、基地局から１フレーム（５ｍｓ）ごとに通知される通信チャネルを介してデータを送受する方式を採っているため、ＮＡＣＫ受信からデータ再送完了までの時間の長さが特に問題となる。
【０００７】
図８は、従来のＸＧＰにおける、ＮＡＣＫ受信のタイミングと、データ再送のタイミングと、の関係の一例を示す図である。同図に示すように、従来のＸＧＰでは、たとえばＦｒａｍｅ１のダウンリンク（基地局から移動局への無線回線）において、その２フレーム後のＦｒａｍｅ３で使用されるＥＸＣＨ（Extra Channel：通信チャネル）を指定したＭＡＰと呼ばれるチャネル割当情報が、ＡＮＣＨ（Anchor Channel：制御チャネル）を介して基地局から移動局に送信される。その後、Ｆｒａｍｅ３のダウンリンクで、移動局がそのＭＡＰに指定されたＥＸＣＨを介して基地局から送信されるデータを受信し、受信されたデータに誤りを検出した場合、移動局は、そのデータを受信したフレームの２フレーム後に当たるＦｒａｍｅ５のアップリンク（移動局から基地局への無線回線）で、ＡＮＣＨを介して基地局にＮＡＣＫを返信する。
【０００８】
Ｆｒａｍｅ５のアップリンクで移動局からＮＡＣＫを受信した基地局は、再送すべきデータを特定した後、そのデータの再送に使用するＥＸＣＨを指定したＭＡＰを作成する。ＮＡＣＫを受信してから再送用のＭＡＰを作成するまでには、半フレーム強（３ｍｓ）ほどの時間が必要となる。このため、基地局が再送用のＭＡＰを移動局に送信できるのは、ＮＡＣＫを受信したフレームの２フレーム後のダウンリンク、つまり、Ｆｒａｍｅ７のダウンリンクとなる。そして、基地局が移動局にデータを再送するのは、そのさらに２フレーム（１０ｍｓ）後のＦｒａｍｅ９のダウンリンクとなる。このため、従来のＸＧＰでは、ＮＡＣＫ受信からデータ再送完了までに、４フレームもの時間が必要となる。
【０００９】
本発明は、上記課題に鑑みてなされたものであり、ＴＤＤ方式を採用する無線通信システムにおいて、ＮＡＣＫ受信からデータ再送完了までの時間を短縮することができる送信装置およびそのデータ再送方法を提供することを目的とする。
【課題を解決するための手段】
【００１０】
上記課題を解決するために、本発明に係る送信装置は、時分割複信方式により、通信チャネルを介して受信装置に送信したデータに対する否定応答に応じて、前記受信装置に前記データを再送する送信装置であって、前記通信チャネルを介して、前記データを再送する第１再送手段と、前記通信チャネルより伝送速度の遅い制御チャネルを介して、前記第１再送手段より早いタイミングで前記データの再送を開始する第２再送手段と、前記データに対する否定応答に応じて、前記第２再送手段による該データの再送完了タイミングが、前記第１再送手段による該データの再送完了タイミングより早いか否かを判定する判定手段と、前記判定手段による判定の結果に基づいて、前記第１再送手段および前記第２再送手段のいずれかを、前記データを再送する再送方式として選択する再送方式選択手段と、を含むことを特徴とする。
【００１１】
本発明では、送信装置が、伝送速度は速いが再送開始タイミングの遅い第１再送手段、および、伝送速度は遅いが再送開始タイミングの早い第２再送手段、という２つの再送方式を採用している。そして、送信装置は、受信装置に送信したデータに対する否定応答に応じて、第２再送手段によるそのデータの再送完了タイミングが、第１再送手段によるそのデータの再送完了タイミングより早いか否かを判定し、その判定の結果に基づいて、第１再送手段および第２再送手段のいずれかを、そのデータを再送する再送方式として選択する。つまり、送信装置は、第１再送手段および第２再送手段のうち、否定応答の受信からデータ再送完了までの時間がより短くなる方を用いて、データを再送することができる。
【００１２】
このため、本発明によれば、送信装置が第１再送手段および第２再送手段の一方しか採用していない場合に比べて、否定応答の受信からデータ再送完了までの時間を短縮することができる。
【００１３】
また、本発明の一態様では、前記第１再送手段は、前記データを再送するための通信チャネルを前記制御チャネルを介して前記受信装置に通知した後に、該通信チャネルを介して前記データの再送を開始する。
【００１４】
また、本発明の一態様では、前記判定手段は、前記データのサイズと、前記制御チャネルの回線品質と、に基づいて、前記第２再送手段による該データの再送完了タイミングを推定する。
【００１５】
また、本発明の一態様では、前記第１再送手段による再送の方式は、ＣＣ（Chase Combining）−ＨＡＲＱ方式である。
【００１６】
また、本発明の一態様では、前記第２再送手段による再送の方式は、ＩＲ（Incremental Redundancy）−ＨＡＲＱ方式である。
【００１７】
また、本発明に係るデータ再送方法は、時分割複信方式により、通信チャネルを介して受信装置に送信したデータに対する否定応答に応じて、前記受信装置に前記データを再送する送信装置のデータ再送方法であって、前記通信チャネルを介して、前記データを再送する第１再送手段と、前記通信チャネルより伝送速度の遅い制御チャネルを介して、前記第１再送手段より早いタイミングで前記データの再送を開始する第２再送手段と、を含む前記送信装置が、前記データに対する否定応答に応じて、前記第２再送手段による該データの再送完了タイミングが、前記第１再送手段による該データの再送完了タイミングより早いか否かを判定するステップと、前記ステップでの判定の結果に基づいて、前記第１再送手段および前記第２再送手段のいずれかを、前記データを再送する再送方式として選択するステップと、を含むことを特徴とする。
【図面の簡単な説明】
【００１８】
【図１】本発明の実施形態に係る移動通信システムの構成を示す図である。
【図２】本実施形態に係る移動通信システムにおける無線チャネル構成を示す図である。
【図３】本実施形態に係る基地局によるＰＲＵ割り当ての一例を示す図である。
【図４】本実施形態に係る第１再送方式による、ＮＡＣＫ受信のタイミングと、ＥＸＣＨ（通信チャネル）を介したデータ再送のタイミングと、の関係の一例を示す図である。
【図５】本実施形態に係る第２再送方式による、ＮＡＣＫ受信のタイミングと、ＡＮＣＨ（個別制御チャネル）を介したデータ再送のタイミングと、の関係の一例を示す図である。
【図６】本実施形態に係る基地局の機能ブロック図である。
【図７】本実施形態に係る基地局のデータ再送処理の一例を示す図である。
【図８】従来のＸＧＰにおける、ＮＡＣＫ受信のタイミングと、データ再送のタイミングと、の関係の一例を示す図である。
【発明を実施するための形態】
【００１９】
以下、本発明の一実施形態を図面に基づいて詳細に説明する。
【００２０】
図１は、本発明の実施形態に係る移動通信システム１０の構成を示す図である。図１に示すように、移動通信システム１０は、基地局１２と、複数の移動局１４（ここでは移動局１４−１〜１４−３のみを示す）と、を含んで構成される。
【００２１】
各基地局１２は、ＯＦＤＭＡ方式およびＴＤＭＡ／ＴＤＤ方式により、自局のセル内に位置する移動局１４と無線通信を行う。なお、移動局１４としては、携帯電話機、通信カード、通信機能を内蔵した携帯情報端末などがある。
【００２２】
図２は、移動通信システム１０における無線チャネル構成を示す図である（横軸：時間、縦軸：周波数）。図２に示すように、移動通信システム１０では、所定周期（ここでは５ｍｓ）のＴＤＭＡフレームが上りサブフレーム（２．５ｍｓ）と下りサブフレーム（２．５ｍｓ）とに区分され、さらに各サブフレームがそれぞれ複数のタイムスロット（ここではＳｌｏｔ１〜Ｓｌｏｔ４）に区分されている。また、所定の周波数帯域に複数のＯＦＤＭＡサブチャネル（ここではＳｃｈ１〜Ｓｃｈ１８）が規定されている。
【００２３】
基地局１２が移動局１４に割り当てる無線チャネルの最小単位はＰＲＵ（Physical Resource Unit）と呼ばれ、各ＰＲＵは、タイムスロット（Ｓｌｏｔ１〜Ｓｌｏｔ４）のいずれかと、サブチャネル（Ｓｃｈ１〜Ｓｃｈ１８）のいずれかと、に属する。なお、上りサブフレームおよび下りサブフレームともに、７２のＰＲＵが、たとえば１から始まる連続するＰＲＵ番号（１，２，３，・・・）で識別されるよう定められており、ＰＲＵ番号の同じＰＲＵは上下ペアで使用される。つまり、ＰＲＵは上下対称に割り当てられる。
【００２４】
図３は、基地局１２によるＰＲＵ割り当ての一例を示す図である。図３に示すように、ある特定のサブチャネル（ここではＳｃｈ１）に属するＰＲＵは、１以上の移動局１４に共用されるＣＣＨ（Common Channel：共通チャネル）として規定されている。一方、その特定のサブチャネル以外のサブチャネル（ここではＳｃｈ２〜Ｓｃｈ１８）に属するＰＲＵは、各移動局１４に個別に割り当てられるＩＣＨ（Individual Channel：個別チャネル）として用いられる。ＩＣＨには、各移動局１４に個別制御チャネルとして原則１つ割り当てられ主に制御情報の伝送に用いられるＡＮＣＨ（Anchor Channel）、各移動局１４に通信チャネルとして１つ以上割り当てられ主に通信データの伝送に用いられるＥＸＣＨ（Extra Channel）などがある。
【００２５】
なお、ＡＮＣＨ（個別制御チャネル）用のＰＲＵは、通信開始時に基地局１２から移動局１４に通知される（通信中に変更されることもある）。これに対し、ＥＸＣＨ（通信チャネルの１つ）用のＰＲＵは、７２のＰＲＵそれぞれの割り当て有無を示すＭＡＰと呼ばれるチャネル割当情報（たとえば、ＥＸＣＨとして割り当てられるＰＲＵが「１」、ＥＸＣＨとして割り当てられないＰＲＵが「０」、でそれぞれ示される７２ビットのビットマップ）によって、ＡＮＣＨを介して基地局１２から移動局１４に通知される。
【００２６】
移動局１４は、基地局１２から通知されたＭＡＰに指定されたＥＸＣＨを介して、その基地局１２から送信されるデータを受信する。誤り検出処理において、受信されたデータに誤りが検出された場合、移動局１４は、そのデータを受信したフレームの２フレーム後のアップリンクで、ＡＮＣＨを介して基地局１２にＮＡＣＫを返信する。基地局１２は、移動局１４からＮＡＣＫを受信すると、再送すべきデータを特定し、移動局１４に再送する。
【００２７】
このデータの再送に関し、基地局１２は、伝送速度は速いが再送開始タイミングの遅い第１再送方式、および、伝送速度は遅いが再送開始タイミングの早い第２再送方式、という２つの再送方式を採用している。
【００２８】
図４は、第１再送方式による、ＮＡＣＫ受信のタイミングと、ＥＸＣＨ（通信チャネル）を介したデータ再送のタイミングと、の関係の一例を示す図である。第１再送方式には、誤りが検出されたデータの全部を一度に再送するＣＣ−ＨＡＲＱ方式が採用されている。
【００２９】
図４に示すように、第１再送方式では、基地局１２が、Ｆｒａｍｅ５のアップリンクで移動局１４からＮＡＣＫを受信すると、再送すべきデータを特定した後、そのデータの再送に使用するＥＸＣＨ（誤りが検出されたデータの送信に使用したＥＸＣＨと同じＰＲＵ）用のＰＲＵを指定したＭＡＰを作成する。ＮＡＣＫを受信してから再送用のＭＡＰを作成するまでには、半フレーム強（３ｍｓ）ほどの時間が必要となる。このため、基地局１２が再送用のＭＡＰを移動局１４に送信できるのは、ＮＡＣＫを受信したフレームの２フレーム後のダウンリンク、つまり、Ｆｒａｍｅ７のダウンリンクとなる。そして、基地局１２が移動局１４にデータを再送するのは、そのさらに２フレーム（１０ｍｓ）後のＦｒａｍｅ９のダウンリンクとなる。
【００３０】
このように、第１再送方式では、ＡＮＣＨより伝送速度の速いＥＸＣＨを介してデータを再送することができるものの、データの再送開始タイミングが遅いため、ＮＡＣＫ受信からデータ再送完了までに４フレームもの時間が必要となる。
【００３１】
一方、図５は、第２再送方式による、ＮＡＣＫ受信のタイミングと、ＡＮＣＨ（個別制御チャネル）を介したデータ再送のタイミングと、の関係の一例を示す図である。第２再送方式では、データの再送にＥＸＣＨより伝送速度の遅いＡＮＣＨが使用されるため、誤りが検出されたデータをパンクチャにより再送（間引き再送）するＩＲ−ＨＡＲＱ方式が採用されている。
【００３２】
図５に示すように、第２再送方式では、基地局１２が、Ｆｒａｍｅ５のアップリンクで移動局１４からＮＡＣＫを受信すると、再送すべきデータを特定した後、そのデータをＩＲ−ＨＡＲＱ方式にて再送するための準備を行う。ＮＡＣＫを受信してからＩＲ−ＨＡＲＱ方式によるデータ再送の準備までには、半フレーム強（３ｍｓ）ほどの時間が必要となる。このため、基地局１２がデータの再送を開始できるのは、ＮＡＣＫを受信したフレームの２フレーム後のダウンリンク、つまり、Ｆｒａｍｅ７のダウンリンクとなる。また、ＩＲ−ＨＡＲＱ方式では、データの再送が連続する２フレーム以上にわたって継続されることがある。
【００３３】
このように、第２再送方式では、基地局１２が再送用のＭＡＰを移動局１４に送信しなくてもよいため、データの再送開始タイミングが第１再送方式のそれより２フレームも早い。しかしながら、データの再送に使用されるＡＮＣＨの伝送速度がＥＸＣＨのそれより遅いため、ＮＡＣＫ受信からデータ再送完了までが４フレーム未満となることもあれば、４フレーム以上となることもある。
【００３４】
そこで、基地局１２は、移動局１４に送信したデータに対するＮＡＣＫに応じて、第２再送方式によるそのデータの再送完了タイミングが、第１再送方式によるそのデータの再送完了タイミングより早いか否かを判定し、その判定の結果に基づいて、第１再送方式および第２再送方式のいずれかを、そのデータを再送する再送方式として選択する。つまり、基地局１２は、第１再送方式および第２再送方式のうち、ＮＡＣＫ受信からデータ再送完了までの時間がより短くなる方を用いて、データを再送する。
【００３５】
このため、基地局１２が第１再送方式だけしか採用していない場合に比べて、ＮＡＣＫ受信からデータ再送完了までの時間を短縮することができる。
【００３６】
以下では、上記処理を実現するために基地局１２が備える構成について具体的に説明する。
【００３７】
図６は、基地局１２の機能ブロック図である。同図に示すように、基地局１２は、アンテナ２０、無線通信部２２、変復調部２４、および制御部２６（メッセージ解析部２８、再送完了タイミング判定部３０、再送方式選択部３２、メッセージ生成部３４）を含んで構成される。
【００３８】
アンテナ２０は、移動局１４から送信される無線信号を受信し、受信された無線信号を無線通信部２２に出力する。また、アンテナ２０は、無線通信部２２から供給される無線信号を移動局１４に対して送信する。
【００３９】
無線通信部２２は、低雑音増幅器、電力増幅器、周波数変換器、帯域通過フィルタ、Ａ／Ｄ変換器、およびＤ／Ａ変換器を含んで構成される。無線通信部２２は、アンテナ２０から入力される無線信号を、低雑音増幅器で増幅した後、中間周波数信号にダウンコンバートし、さらにデジタル信号に変換してから、変復調部２４に出力する。また、無線通信部２２は、変復調部２４から入力されるデジタル信号を、アナログ信号に変換した後、無線信号にアップコンバートし、電力増幅器で送信出力レベルまで増幅してから、アンテナ２０に供給する。
【００４０】
変復調部２４は、ＦＦＴ（Fast Fourier Transform）部、ＩＦＦＴ（Inverse Fast Fourier Transform）部、直並列変換器、並直列変換器、および誤り検出部を含んで構成される。変復調部２４は、無線通信部２２から入力されるデジタル信号に、直並列変換、ＧＩ（Guard Interval）の除去、１次復調（高速フーリエ変換）、並直列変換、２次復調（シンボルデマッピング）、復号、誤り検出などを施し、得られた受信データを制御部２６および上位レイヤ（図示せず）に出力する。また、変復調部２４は、制御部２６および上位レイヤから入力される移動局１４宛てのメッセージや送信データに、誤り検出符号の付加、符号化、１次変調（シンボルマッピング）、直並列変換、２次変調（逆高速フーリエ変換）、ＧＩの付加、並直列変換などを施し、得られたデジタル信号を無線通信部２２に出力する。
【００４１】
制御部２６は、たとえばＣＰＵおよびＣＰＵの動作を制御するプログラムで構成され、基地局１２の各部を制御する。特に、制御部２６は、メッセージ解析部２８、再送完了タイミング判定部３０、再送方式選択部３２、およびメッセージ生成部３４を機能的に含み、移動局１４へのデータの再送などを制御する。
【００４２】
メッセージ解析部２８は、変復調部２４から入力される受信データより移動局１４からの各種メッセージを抽出し、そのメッセージの内容を解析する。たとえば、メッセージ解析部２８は、受信データよりＡＮＣＨを介して移動局１４から返信されるＡＣＫ（肯定応答）またはＮＡＣＫ（否定応答）を含むメッセージを取得し、そのメッセージに含まれるＡＣＫまたはＮＡＣＫを再送完了タイミング判定部３０に出力する。
【００４３】
再送完了タイミング判定部３０は、基地局１２が移動局１４に送信したデータに対するＮＡＣＫがメッセージ解析部２８から入力されると、そのＮＡＣＫに対応する再送対象データを送信バッファ（図示せず）から読み出すとともに、第２再送方式によるそのデータの再送完了タイミングが、第１再送方式によるそのデータの再送完了タイミングより早いか否かを判定する。
【００４４】
上記のとおり、ＥＸＣＨを介してＣＣ−ＨＡＲＱ方式によりデータを再送する第１再送方式では、事前に基地局１２が再送用のＭＡＰを移動局１４に送信する必要があるため、データの再送開始タイミングおよび再送完了タイミングが、基地局１２がＮＡＣＫを受信したフレームの４フレーム後になる（図４参照）。一方、ＡＮＣＨを介してＩＲ−ＨＡＲＱ方式によりデータを再送する第２再送方式では、基地局１２が再送用のＭＡＰを移動局１４に送信しなくてもよいため、基地局１２がＮＡＣＫを受信したフレームの２フレーム後にデータの再送を開始することができる（図５参照）。
【００４５】
そこで、再送完了タイミング判定部３０は、まず、再送すべきデータのサイズと、そのデータの再送に使用されるＡＮＣＨ（個別制御チャネル）の回線品質と、に基づいて、第２再送方式によるデータの再送完了タイミング（第２再送方式によるデータの再送回数でもよい）を推定する。ここでいうＡＮＣＨの回線品質には、ＡＮＣＨを介して受信される無線信号のＲＳＳＩ（Received Signal Strength Indication：受信信号強度）やＳＩＮＲ（Signal to Interference and Noise Ratio：信号対干渉および雑音電力比）、ＡＮＣＨに適用される変調方式などがある。なお、ＡＮＣＨに適用される変調方式は、予め固定的に定められた変調方式でもよいし、電波状況に応じて適応的に変化する変調方式でもよいが、第２再送方式（ＩＲ−ＨＡＲＱ方式）によるデータの再送回数を低減するためには、後者の方が望ましい。
【００４６】
そして、第２再送方式によるデータの再送回数が３回（連続する３フレーム）未満であると推定される場合、再送完了タイミング判定部３０は、第２再送方式によるデータの再送完了タイミングが、基地局１２がＮＡＣＫを受信したフレームの２フレーム後または３フレーム後となる、つまり、第１再送方式によるデータの再送完了タイミングより早いと判定する。逆に、第２再送方式によるデータの再送が３回（連続する３フレーム）以上であると推定される場合、再送完了タイミング判定部３０は、第２再送方式によるデータの再送完了タイミングが、基地局１２がＮＡＣＫを受信したフレームの４フレーム後以降となる、つまり、第１再送方式によるデータの再送完了タイミングと同じかそれより遅いと判定する。
【００４７】
再送方式選択部３２は、再送完了タイミング判定部３０による判定の結果に基づいて、第１再送方式および第２再送方式のいずれかを、そのＮＡＣＫに対応するデータを再送する再送方式として選択する。具体的には、第２再送方式によるデータの推定再送回数が３回未満であれば、第２再送方式が選択され、第２再送方式によるデータの推定再送回数が３回以上であれば、第１再送方式が選択される。
【００４８】
メッセージ生成部３４は、移動局１４宛てのメッセージや送信データを生成し、変復調部２４に出力する。移動局１４宛てのメッセージには、移動局１４に割り当てるＡＮＣＨ用のＰＲＵを含むＳＣＣＨ（Signaling Control Channel）、移動局１４に割り当てるＥＸＣＨ用のＰＲＵを指定したＭＡＰを含むＥＣＣＨ（EXCH Control Channel）、第２再送方式により再送されるデータを含むＩＤＣＨ（Individual Data Channel）などがある。このうち、ＩＤＣＨは、変復調部２４にてＡＮＣＨの回線品質に応じた適応変調が施された後、そのＡＮＣＨを介して移動局１４に送信される。
【００４９】
次に、基地局１２の動作を説明する。
【００５０】
図７は、基地局１２のデータ再送処理の一例を示す図である。本処理は、基地局１２が移動局１４からＮＡＣＫを受信されるたびに実行される。
【００５１】
図７に示すように、移動局１４からＮＡＣＫを受信した基地局１２は、たとえばそのＮＡＣＫの受信タイミングに基づいて、送信バッファに蓄積された送信済みデータの中から再送対象データを特定する（Ｓ１００）。そして、基地局１２は、再送対象データのサイズと、その再送対象データの送信に使用されるＡＮＣＨの回線品質と、に基づいて、第２再送方式（ＩＲ−ＨＡＲＱ方式）による再送対象データの送信回数（ＩＤＣＨ送信回数）を推定する（Ｓ１０２）。
【００５２】
次に、基地局１２は、Ｓ１０２で推定されたＩＤＣＨ送信回数が所定回数（ここでは３回）未満であるか否かを判定する（Ｓ１０４）。ここで、ＩＤＣＨ送信回数が３回未満であれば（Ｓ１０４：Ｙ）、基地局１２は、第２再送方式により再送対象データを送信する、すなわち、ＩＲ−ＨＡＲＱ方式によりＡＮＣＨを介して再送対象データを含むＩＤＣＨを送信する（Ｓ１０６）。一方、ＩＤＣＨ送信回数が３回以上であれば（Ｓ１０４：Ｎ）、基地局１２は、第１再送方式により再送対象データを送信するため、まず、再送に使用されるＥＸＣＨ用のＰＲＵを指定したＭＡＰを含むＥＣＣＨをＡＮＣＨを介して送信する（Ｓ１０８）。その後、基地局１２は、再送用のＭＡＰに指定されたＥＸＣＨを介してＣＣ−ＨＡＲＱ方式により再送対象データを一度に送信する（Ｓ１１０）。
【００５３】
以上説明した移動通信システム１０では、基地局１２が、伝送速度は速いが再送開始タイミングの遅い第１再送方式、および伝送速度は遅いが再送開始タイミングの早い第２再送方式、という２つの再送方式を採用している。そして、基地局１２は、移動局１４に送信したデータに対するＮＡＣＫに応じて、第２再送方式によるそのデータの再送完了タイミングが、第１再送方式によるそのデータの再送完了タイミングより早いか否かを判定し、その判定の結果に基づいて、第１再送方式および第２再送方式のいずれかを、そのデータを再送する再送方式として選択する。つまり、基地局１２は、第１再送方式および第２再送方式のうち、ＮＡＣＫ受信からデータ再送完了までの時間がより短くなる方を用いて、データを再送する。
【００５４】
このため、基地局１２が第１再送方式だけしか採用していない場合に比べて、ＮＡＣＫ受信からデータ再送完了までの時間を最高２フレーム（１０ｍｓ）短縮することができる。
【００５５】
なお、本発明は、上記実施形態に限定されるものではない。
【００５６】
たとえば、上記実施形態では、基地局１２（送信装置）が移動局１４（受信装置）からのＮＡＣＫに応じてデータを再送する構成を示したが、移動局１４（送信装置）が基地局１２（受信装置）からのＮＡＣＫに応じてデータを再送してもよい。
【００５７】
また、上記実施形態では、第１再送方式にＣＣ−ＨＡＲＱ方式を採用し、第２再送方式にＩＲ−ＨＡＲＱ方式を採用する構成を示したが、これらは再送方式の一例にすぎない。たとえば、第１再送方式および第２再送方式に、ＨＡＲＱ方式とは異なる（ハイブリッドではない）ＡＲＱ方式を採用してもよい。もちろん、図４および図５に示した、ＮＡＣＫ受信のタイミングと、データ再送のタイミングと、の関係は一例に過ぎない。
【００５８】
また、本発明は、ＯＦＤＭＡ方式およびＴＤＭＡ／ＴＤＤ方式を採用する送信装置に限らず、ＴＤＤ方式により、通信チャネルを介して受信装置に送信したデータに対する否定応答に応じて、受信装置にそのデータを再送する送信装置全般に適用可能である。
【符号の説明】
【００５９】
１０  移動通信システム、１２  基地局、１４  移動局、２０  アンテナ、２２  無線通信部、２４  変復調部、２６  制御部、２８  メッセージ解析部、３０  再送完了タイミング判定部、３２  再送方式選択部、３４  メッセージ生成部。
【図１】
2011124943.tif 000003
【図２】
2011124943.tif 000004
【図３】
2011124943.tif 000005
【図４】
2011124943.tif 000006
【図５】
2011124943.tif 000007
【図６】
2011124943.tif 000008
【図７】
2011124943.tif 000009
【図８】
2011124943.tif 000010